(57)【特許請求の範囲】
【請求項１】
無線通信ネットワークにおける複数の登録ゾーンを登録する方法であって、
第１登録ゾーンの登録に応答して、第１ネットワークエンティティからの第１の一時的な同一性に関する指定を受信し、
第２登録ゾーンの第２ネットワークエンティティを登録し、
前記第２登録ゾーンの登録に応答して、前記第２のネットワークエンティティからの第２の一時的な同一性に関する指定を受信する、ここにおいて、前記第１の一時的な同一性は、前記第２ネットワークエンティティの登録の後、限られた期間中有効のままである、ここにおいて、前記限られた期間は、前記第２ネットワークエンティティの登録に応答して始まるタイムアウト期間に相当する
ことを有する方法。
【請求項２】
前記第１の一時的な同一性は第１の一時的な移動局の同一性（ＴＭＳＩ）である、ここにおいて前記第２の一時的な同一性は第２のＴＭＳＩである、及び下記をさらに具備する、
タイマに基礎を置いた登録を開始する為の指示を与える第１カウンタを保持し、
前記第１カウンタの値がタイマに基礎を置いた登録カウント値を越えた場合にタイマに基礎を置いた登録を開始する、
ことを更に有する請求の範囲第１項に記載の方法。
【請求項３】
無線リソース（ＲＲ）レベルの登録は、ネットワークエンティティからのメッセージを介して可能である請求の範囲第２項の方法。
【請求項４】
タイマに基礎を置いた登録は、ネットワークエンティティからのメッセージを介して可能である請求の範囲第２項の方法。
【請求項５】
無線通信ネットワークにおける複数の登録ゾーンを登録するための装置であって、
第１登録ゾーンの登録に応答して、第１ネットワークエンティティからの第１の一時的な同一性に関する指定を受信するための手段、
第２登録ゾーンの第２ネットワークエンティティを登録するための手段、
前記第２登録ゾーンの登録に応答して、前記第２のネットワークエンティティからの第２の一時的な同一性に関する指定を受信するための手段、ここにおいて、前記第１の一時的な同一性は、前記第２ネットワークエンティティの登録の後、限られた期間中有効のままである、ここにおいて、前記限られた期間は、前記第２ネットワークエンティティの登録に応答して始まるタイムアウト期間に相当する
を有する装置。
【請求項６】
前記第１の一時的な同一性は第１の一時的な移動局の同一性（ＴＭＳＩ）である、ここにおいて前記第２の一時的な同一性は第２のＴＭＳＩである、及び下記をさらに具備する、
タイマに基礎を置いた登録を開始する為の指示を与える第１カウンタを保持するための手段、
前記第１カウンタの値がタイマに基礎を置いた登録カウント値を超えた場合にタイマに基礎を置いた登録を開始するための手段、
を更に有する請求の範囲第５項に記載の装置。
【請求項７】
各ネットワークエンティティは、通信ネットワークの基地局に対応する、請求の範囲第５項に記載の装置。
【請求項８】
タイマに基礎を置いた登録に係る最大終了時間を表す値を受信するための手段、
前記受信した値に基づいてタイマに基礎を置いた登録カウント値を設定するための手段、を更に有する請求の範囲第６項に記載の装置。
【請求項９】
前記タイマに基礎を置いた登録カウント値は、０から前記受信した値に関連する最大値の間の範囲内にある擬似ランダム値である、請求の範囲第８項の装置。
【請求項１０】
タイマに基礎を置いた登録に係る最大終了時間を表す値を受信するための手段、
前記受信した値に基づいてタイマに基礎を置いた登録カウント値を設定するための手段、を更に有する請求の範囲第６項に記載の装置。
【請求項１１】
前記タイマに基礎を置いた登録カウント値は、０から前記受信した値に関連する最大値の間の範囲内にある擬似ランダム値である、請求の範囲第１０項の装置。
【請求項１２】
最初に前記第１登録ゾーンに入り、続いて第２登録ゾーンに入る請求の範囲第６項の装置、前記装置はさらに下記を有する、
第２ネットワークエンティティの登録により、第１登録ゾーンに関する第１タイマを始動するための手段。
【請求項１３】
各更新間隔で前記第１タイマのカウント値を更新するための手段、そして、
第１タイマのカウント値がタイムアウト値を超えたとき、第１登録ゾーンの登録をタイムアウトするための手段、
を更に有する請求の範囲第１２項の装置。
【請求項１４】
前記第１登録ゾーンに係る前記第１タイマに関するタイムアウト値は、前記第２ネットワークエンティティにより与えられる、請求の範囲第１３項の装置。
【請求項１５】
前記第２ネットワークエンティティに係る登録により、前記第２登録ゾーンの第２タイマを停止するための手段、
を更に有する請求の範囲第６項の装置。
【請求項１６】
複数のエントリを有するゾーンリストを保持するための手段、１つのエントリは、ＴＭＳＩが指定され、登録が現在有効である各登録ゾーンに対するものである、を更に有する請求の範囲第６項の装置。
【請求項１７】
登録が許可された登録ゾーンの最大数を示す値を受信するための手段、
前記ゾーンリストに保持されているエントリの数が許可された登録ゾーン群の最大数以下であるようにゾーンリストより、一以上のエントリを削除するための手段
を更に有する請求の範囲第１６項の装置。
【請求項１８】
前記ゾーンリストの中の最古エントリは最初に削除される請求の範囲第１７項の装置。
【請求項１９】
前記ゾーンリストの最古エントリは、前記エントリに関して始動された関連したタイマによって決定される、請求の範囲第１８項の装置。
【請求項２０】
前記ゾーンリストの各エントリは動作中の登録ゾーンに対応しており、各エントリは、前記動作中の登録ゾーンのゾーン番号と、前記動作中の登録ゾーンに指定されたゾーンコードと、前記動作中の登録ゾーンの登録をタイムアウトするために用いられる指示を与えるエントリタイマと、を有する、請求の範囲第１６項の装置。
【請求項２１】
前記ゾーンリストの各エントリは、更に、前記動作中の登録ゾーンの登録のための最大タイムアウト期間を示すタイムアウトカウントを含み、
前記動作中の登録ゾーンの登録のためのタイムアウト期間は一部該タイムアウトカウントに基づいて決定される、請求の範囲第２０項の装置。
【請求項２２】
無線通信ネットワークにおいて、複数の、無線の一時的な移動局の同一性（Ｒ−ＴＭＳＩ）ゾーンを登録する方法であって、
第１基地局を第１Ｒ−ＴＭＳＩゾーンに登録すること、
前記第１Ｒ−ＴＭＳＩゾーンの登録に応答して、前記第１基地局からの第１Ｒ−ＴＭＳＩコードに係る指定を受信すること、
第２基地局を第２Ｒ−ＴＭＳＩゾーンに登録すること、
前記第２Ｒ−ＴＭＳＩゾーンの登録に応答して、前記第２基地局からの第２Ｒ−ＴＭＳＩコードに係る指定を受信すること、ここにおいて、最初に前記第１登録ゾーンに入り、続いて第２登録ゾーンに入る、
第２基地局の登録により、第１Ｒ−ＴＭＳＩゾーンに関する第１タイマを始動すること、
前記第２基地局の登録により、第２Ｒ―ＴＭＳＩゾーンに関する第２タイマを停止すること
を有する方法。
【請求項２３】
各更新間隔で前記第１タイマのカウント値を更新すること、そして、
第１タイマのカウント値がタイムアウト値を超えたとき、第１Ｒ−ＴＭＳＩゾーンの登録をタイムアウトすること
を更に有する請求の範囲第２２項の方法。
【請求項２４】
無線通信ネットワークにおいて、複数の、無線の一時的な移動局の同一性（Ｒ−ＴＭＳＩ）ゾーンを登録するための装置であって、
第１基地局を第１Ｒ−ＴＭＳＩゾーンに登録するための手段、
前記第１Ｒ−ＴＭＳＩゾーンの登録に応答して、前記第１基地局からの第１Ｒ−ＴＭＳＩコードに係る指定を受信するための手段、
第２基地局を第２Ｒ−ＴＭＳＩゾーンに登録するための手段、
前記第２Ｒ−ＴＭＳＩゾーンの登録に応答して、前記第２基地局からの第２Ｒ−ＴＭＳＩコードに係る指定を受信するための手段、ここにおいて前記第１Ｒ−ＴＭＳＩコードは、前記第２基地局の登録の後、限られた期間中有効のままである、ここにおいて、前記限られた期間は、前記第２基地局の登録に応答して始まるタイムアウト期間に相当する
を有する方法。
【請求項２５】
無線通信ネットワークにおいてマルチプルな一時的な移動局の同一性（ＴＭＳＩS）を管理するための装置であって、
前記移動局が第１無線ＴＭＳＩ（Ｒ−ＴＭＳＩ）ゾーンに入ったとき、第１基地局を介して移動局に第１ＴＭＳＩを指定するための手段、
第２Ｒ−ＴＭＳＩゾーンの第２基地局に前記移動局を登録するための手段、
前記移動局が複数のＲ−ＴＭＳＩゾーンにおいて登録されるように、前記第２基地局を介して前記移動局に第２ＴＭＳＩを指定するための手段、ここにおいて前記第１ＴＭＳＩは、前記第２基地局の登録の後、限られた期間中有効のままである、ここにおいて、前記限られた期間は、前記第２基地局の登録に応答して始まるタイムアウト期間に相当する
を有する方法。
【発明の詳細な説明】
【０００１】
背景技術
I．発明の分野
本発明は、データ通信に関するものである。より詳しくは、本発明は、無線通信システムで登録を実行する新規で進歩した方法に係り、より小さな登録ゾーンを有するシステムにとって好適なものである。
【０００２】
II．関連技術の説明
無線通信システムにおいて、登録は、移動局が通信中であるか、及び基地局からの信号を現在受信しているかを、当該システムに通知するために移動局によって用いられる処理である。この移動局は、セルラ電話、個人用通信装置、或いは手動(handheld)携帯端末であったり、車両搭載ユニット、手動(handheld)携帯ユニットであったりする。従って、このシステムは、登録情報を用いて、当該システムのトランザクションのいくつかのタイプに対して、それを位置決めすべく移動局と連絡をするか否かを決定し、もしそうならば、一組の基地局からページを伝送する。この登録情報は、このように基地局によるページングの総量を削減するために使用され得る。
【０００３】
例として、特定の移動局へ向けられた呼び出し(call)は、“移動終了(mobile terminated)”呼び出しと称されるが、このシステムは移動局がパワーオンされているかを決定し、ｙｅｓならば、基地局からの信号を受信する。移動局を位置決めすべく、このシステムは、ページと称されるメッセージを、移動局により位置決めされた複数の基地局から一斉発信し得る。移動局が応答したならば、このシステムは、当該移動局が位置決めされた対象エリアを管轄する基地局により対処される次の通信に関する呼び出しの処理を継続する。
【０００４】
仮に、システムが移動局の位置に関する何等の知識も有していなければ、システムは全ての基地局の全セクタにページを伝送し得る。この基地局とその対象エリアは、一般に“セル”と称される。このセルは、更に（例えば３つの）セクタ群に分割され、各セクタは基地局からの各ビームにより操作される。移動終了トラヒックの総量が増加すると、システムワイドページングをサポートする為の通信リソースは、大規模システム内で非常に大きいものとなる。
【０００５】
上述したように、基地局によるページングの総量を削減すべく、移動局は、その位置をシステムに通知する登録処理を採用し得る。これには、種々の登録方法が用いられており、それらにはゾーンに基礎を置く登録方法、タイマに基礎を置く登録方法、そして距離に基礎を置く登録方法が含まれている。これら登録方法の各々は、特有の状況にとって一般的に効果的である。
【０００６】
登録は、移動局が位置していない対象エリアの移動局のページングに係るオーバーヘッドの総量を削減する上では役立つが、登録処理そのものに関する更なるオーバーヘッドがある。これは、登録処理に関する周波数及び登録ゾーンサイズの選択といった妥協案へと導く。サービストラヒックの不活性(inactivity)（例えば、音声）が長期間にわたり継続するとき、登録ゾーンは好適に広く定義され得る（登録が不活性期間にわたり実行された以降）。しかしながら、バースト的なトラヒック（パケットデータの如く）にとっては、不活性期間は非常に小さくても差し支えない。広い対象エリアをページングする頻繁な断続に係るオーバーヘッドを削減するために、パケットコールの進行中は非常に小さい登録ゾーンが提供され得る。これは、広い対象エリアの中のネットワークに係る登録に加えて実行してもよい。
【０００７】
ＧＳＭ  ＭＣ−ＭＡＰ標準（後述する）に従うシステムの如き、特定の無線システムでは、登録ゾーンは小さいエリアに定義され、システム内の移動局の大部分（例えば５０％）は、セルの境界エリアに位置している。これらシステムにとっては、移動局による移動の小さい総量又は通信リンクのバリエーションは、移動局を一の登録ゾーンから他へ移動させる（或いは移動と思える）要因となるかもしれない。これは“ピンポン(ping-pong)”効果の要因となり、それにより移動局は、（システム設計により）隣接ゾーンの基地局を継続的に登録する必要が生じ得る。この継続的な登録は、次々にシステムに負荷を与え、使用可能なリンクソースの非効率的な使用といった結果を招くことになる。
【０００８】
その結果、登録処理を改善するのに役立ち、不必要な登録の総量を削減する技術は、とりわけ小さな登録ゾーンを有するシステムにとって、高い価値がある。
【０００９】
発明を実施するための最良の形態
無線通信システムでは、登録方式(scheme)は、位置及び当該システム内の移動局のステータスを探索するために概して用いられる。この知識なくして、特定の移動局に向けて方向付けられた情報は、特定の移動局のためだけに意味付けられたページを必要とし、それは、いくつかのユニバーサルフォーマットの全エリアに一斉送信され、移動局のコンタクトを確実なものとする。移動局は、登録を用いることで、その位置及びステータスを、システムエンティティ（例えば移動スイッチングセンタ（ＭＳＣ）又は基地局）に通知し得る。この受信したエンティティは、この情報を移動局との次の通信の為にデータベースに記録する。例えばこのシステムが移動局の為のメッセージを有しているならば、このデータベースは、受信側移動局にメッセージを送るために、どの基地局及びフォーマットを用いるべきかを決定するためにアクセスされ得る。
【００１０】
ここに言及した登録技術は、様々な無線通信システム、即ち、例えば、符号分割多元接続（ＣＤＭＡ）システム、時分割多元接続（ＴＤＭＡ）システム、周波数分割多元接続（ＦＤＭＡ）システム等に有利に使用され得る。このようなＣＤＭＡシステムは、特定の標準、例えば“デュアルモード・ワイドバンド・スプレッド・セルラシステムのためのＴＩＡ／ＥＩＡ／ＩＳ−９５  移動局―基地局互換性標準”（ＩＳ−９５標準）、これは“第三世代パートナーシッププロジェクト”（３ＧＰＰ）と称する協会により提供され、文献番号3GTS 25.211, 25.212, 25.213, 25.214, 25.133, 25.305, 25.331及び3G TR 25.926（Ｗ−ＣＤＭＡ標準）を含む文献にて具体化されている、や“ｃｄｍａ２０００スプレッド・スペクトラル・システムのためのＴＲ−４５．５物理層標準”（ｃｄｍａ２０００標準）、“第三世代パートナーシッププロジェクト”（３ＧＰＰ２）により提供された“ＧＳＭ  ＭＳ−ＭＡＰ（ＧＳＭ−ＭＡＰコアネットワーク上のマルチキャリア（ｃｄｍａ２０００））”と称される標準に従って動作する。新たなＣＤＭＡ標準は、頻繁に提案され、使用に供されている。これらＣＤＭＡ標準は、ここでは参考までに言及されている。このＴＤＭＡシステムは、ＧＳＭ（移動通信の為のグローバル・システム）であり、例えばＧＳＭ−ＭＡＰ（Mobile Application Part）のような特定の標準に従って動作する。
【００１１】
登録方式は、特に当該方式が採用される特定の無線通信システムのために設計される。改良されたサービスを提供するために、異なるタイプの無線通信システムは、標準化された信号インターフェースを経由して統合され得る。明確化のために、本発明の登録方式の様々な態様は、ＧＳＭ  ＭＣ−ＭＡＰ標準をサポートするｃｄｍａ２０００システムに係るものとして以下に詳述される。
【００１２】
図１は多数のセル１０２を有する無線ネットワーク１００を示す図である。各セル１０２は、特定の地理的領域に対応しており、関連する基地局（簡略化のため図１では不図示）により利用に供される。移動交換センタ（ＭＳＣ）１１０は多数の基地局を接続し、補強している。無線ネットワーク１００のＭＳＣ１１０は各々が接続されており、従来型の電話システムとの通信を補助する公衆交換電話ネットワーク(PSTN)と接続されている。各ＭＳＣ１１０に関連するセルは、一般には１又はそれ以上の領域１０６に分割されており、これはｃｄｍａ２０００の基地局コントローラ（ＢＳＣ）、ＧＳＭ、Ｗ−ＣＤＭＡの無線ネットワークコントローラ（ＲＮＣ）と称されるエンティティによりグループ化されている。図１に示される例では、領域１０６ａはセル１０２ａ乃至１０２ｈを含む。ｃｄｍａ２０００のパケットコールに関して、ＢＳＣ（例えば、領域１０６ａのＢＳＣ）は、パケット変換機能（ＰＣＦ）に係るエンティティを有しており、ＢＳＣの対象エリアはＰＣＦ対象エリアとなっている。ＧＳＭ、Ｗ−ＣＤＭＡのパケットコールに関して、ＧＰＲＳサポートノード（ＳＧＳＮ）により機能する新たなネットワークエンティティの対象エリアの中には多数のＢＳＣ又はＲＮＣがあり、それは、対応するＭＳＣの対象エリアのサブセットとなっている。
【００１３】
従来型セルラシステムでは、移動局は、未登録の対象エリアに移動するときシステムの登録を開始する。この移動局は、各セルの基地局が、移動局が登録したネットワークのエンティティの同一性(identity)を定期的に送信するので、対象エリアの変更を確定することができる。
【００１４】
登録の間にわたり交換されるメッセージを介して、この移動局は、移動局の同一性(identity)や移動局の能力の如き、様々なパラメータの適切なネットワークエンティティを通知し得る。この登録情報は、基地局により受信され、基地局に関連するＭＳＣに中継され得る。ＧＳＭ、Ｗ−ＣＤＭＡ、そしてＧＳＭ  ＭＣ−ＭＡＰシステムでは、パケットコールに関して、他の登録メッセージは、一般的に、例えばホーム位置レジスタ（ＨＬＲ）、ビジタ位置レジスタ（ＶＬＲ）等といったデータベースにストアされる。このＨＬＲは、ＭＳＣの管理者に指定された移動局の情報をストアし、ＶＬＲは、それらのホームＭＳＣから移動された(roaming)移動局のための情報をストアする。
【００１５】
上述したように、移動局は、多数の通信標準を導入するようにデザインされ得るものであり、異なる技術（例えばＣＤＭＡ及びＴＤＭＡ）をサポートすることも可能である。例えば、移動局は、ＣＤＭＡシステムに関するｃｄｍａ２０００標準やＴＤＭＡシステムに関するＧＳＭ標準をサポートするように設計されている。その結果、登録処理は、登録がサポートされる全ての標準を遂行し得るところまで進歩され得る。
【００１６】
従来型のセルラネットワークでは、各移動局は、該移動局により識別されるユニークな移動識別番号（ＭＩＮ；Mobile Identification Number）又は国際移動加入者識別番号（ＩＭＳＩ；International Mobile Subscriber Identification Number）を指定する。このＭＩＮ及びＩＭＳＩは、料金、記録保持、他の目的に用いられる。
【００１７】
様々な理由（例えば、セキュリティ）より、移動局の真の同一性（例えばＩＭＳＩ）を空中（air）を越えて送信するのは望ましくない。代わりに、この移動局は、移動局の真の同一性（identity）とは別名で用いられるＭＳＣのようなネットワークエンティティにより、一時的な移動加入者識別（ＴＭＳＩ；Temporary Mobile Subscriber Identity）を一般的に指定する。Ｗ−ＣＤＭＡ及びＧＳＭ  ＭＣ−ＭＡＰシステムでは、セキュリティの他のレベルは、新たな移動局の同一性により、エアインタフェースを越えて規定される。この同一性は、ＧＳＭ  ＭＣ−ＭＡＰのＲ−ＴＭＳＩと呼ばれ、Ｗ−ＣＤＭＡのＲＮＴＩと呼ばれる対応部分(counterpart)を有している。この同一性と上位ネットワーク同一性（例えばＭＳＣのＴＭＳＩ）との間の関連性は、ＲＮＣ／ＢＳＣにより保持されている。このＲ−ＴＭＳＩはＴＭＳＩに類似しているが、基地局によってのみ認識されるものであり、基地局に関連するＭＳＣによっては認識されない。
【００１８】
一時的な同一性はユニークで、一般にランダムに指定される、特定のレングス（例えば３２ビット）の識別番号である。特有の一時的な識別番号は、一般的には、指定されたエンティティにより所定の登録ゾーンの中に所定時間滞在する一のユーザにのみ指定される。この指定された一時的な識別番号は、一般には指定されたエンティティ（例えば、Ｒ＿ＴＭＳＩはＧＳＭ  ＭＣ−ＭＡＰシステムの為に指定された基地局のセルの中で有効であり、ＴＭＳＩは全システムにより網羅される領域に中で有効である）を網羅するエリア内に位置する基地局との通信にのみ有効である。一時的な同一性は、通常は、移動局が、異なるエンティティ又は一時的な同一性を最初に指定された特定期間の経過後に供給される新たな登録エリアを横切るときには、有効ではない。
【００１９】
ＧＳＭ  ＭＣ−ＭＡＰシステムのＭＳＣのようなネットワークエンティティにより実行される登録に加えて、更なるＲＲ（無線リソース）登録は、基地局レベルで時々実行され、このＲＲ登録は２つの目的と有している。即ち（１）接続状態の間、移動局が様々な基地局の境界を横切り移動するとき、有効な無線の同一性Ｒ−ＴＭＳＩを保持すること、（２）ページングを最小化し、移動局が動作中のアクティブパケットコールを有しているが、不活性が原因で指定された専用のリソースを有していないとき、専用の状態への迅速な移行を可能とすること、である。ＧＳＭ  ＭＣ−ＭＡＰの為のＲＲ登録ゾーンが非常に小さいサイズである場合には、一般的には小さいサイズのゾーンの間で移動する見込みが高いことからＲＲ登録が頻繁に実行される。
【００２０】
ここで詳述した技術では、語登録及びＲＲ登録は交換自在に使用され得る。この技術は、ゾーンが十分に小さく、“ピンポン”効果が深刻な問題であるような登録に使用され得る。同時に、この技術は、登録が基地局システムの対象エリアを越えてＢＳＣと一体となるような、特別なケースを中心に取り扱う。ゆえに、ＭＳＣのようなネットワーク同一性に係る登録とそれを区別して分類し、ＲＲ登録と称しているのである。
【００２１】
上述したように、移動局の大部分は、無線通信システムの境界エリアにある可能性がある。例えば、移動局の移動及び／又はリンクコンディションの変化などといった様々な要因にもよるだろうが、新たな基地局は移動局により良好に受信されると判断されるだろう。仮に、移動局が、関連する対象エリアに入る度に基地局を登録する必要があるならば、移動局は、それらセルの境界エリアに位置するとき、２以上の基地局を継続的（例えば、交互に）に登録してもよい。これはシステムパフォーマンスに厳しい影響を与える。このピンポン効果を削減する技術は高い価値があるものである。
【００２２】
本発明の実施の形態に従えば、ゾーンに基礎を置いた登録及びタイマに基礎を置いた登録の組み合わせは、移動局により必要とされる登録の総量を削減するのに役立つ。登録方式は、特に登録ゾーン（この場合、基地局の境界エリア）が（相対的に）小さいエリアに定義されている状況においては利点がある。この登録方式に従えば、移動局は、新たな登録ゾーン（例えば、基地局の対象エリアに対応する新たなＴＭＳＩゾーン）に入り込む度に基地局を登録する。移動局は、既に登録されているがそれ以来離れている各Ｒ−ＴＭＳＩゾーンの為のタイマを保持している。仮に、移動局が、特定のタイムアウト期間よりも長い期間だけ特定のＲ−ＴＭＳＩゾーンを離れると、このＲ−ＴＭＳＩゾーンに係る登録はタイムアウトされ、その後、移動局は、当該ゾーンに再び戻ったときに当該ゾーンを再登録することになる。
【００２３】
図２は無線ネットワーク１００の一部分、及び多数のセル１０２の境界エリアに位置する移動局１０６のための登録を示す図である。初めに、移動局１０６は基地局１０４ａ（例えばＲ−ＴＭＳＩゾーン１）の対象エリアに位置し、破線で示したように、この基地局を登録する。この後、移動局１０６は、基地局１０４ｂ（例えばＲ−ＴＭＳＩゾーン２）の対象エリアに移動し、或いは他の基地局に移動し、この対象エリアを供給(serve)する基地局も登録する。その後、移動局１０６は、以前に登録されたゾーンのうちの一つに戻ることができる。本発明の登録方式は、以下に更に詳細に説明するが、無線ネットワーク１００を移動する移動局１０６により必要とされる登録の総量を削減することができる。
【００２４】
図３は、本発明の実施の形態に従った登録処理３００のフロー図である。登録処理３００は、ゾーンに基礎を置いた登録方式とタイマに基礎を置いた登録機構の組み合わせを含み、多数のセルの境界エリアに位置するであろう移動局による登録の総量を削減する。ゾーンに基礎を置いた登録方式の下では、移動局は、現在登録されてない登録ゾーンの中に移動するとき、基地局を登録する。タイマに基礎を置いた登録方式の下では、移動局は、特定のタイムアウト期間を超える期間だけ登録ゾーンを離れると、基地局を再登録する。
【００２５】
図３に示されるように、ステップＳ３１０では、移動局が特定の登録ゾーンに気付いたか、他の登録ゾーンに入ったかどうかを初めに決定する。この登録ゾーンは、ＧＳＭ  ＭＣ−ＭＡＰシステムによって定義されるＲ−ＴＭＳＩゾーンであることがある。この移動局が他の登録ゾーンに入り込んだか否かの決定は、例えば登録ゾーンを供給する基地局により送信されるブロードキャストメッセージを処理することで、遂行される。移動局が他の登録ゾーンに入り込んでいない場合には、ステップＳ３３２の処理に進む。
【００２６】
さもなければ、ステップＳ３１２において、移動局が新たな登録ゾーンに入り込んだか否かを決定する。新たな登録ゾーンは、移動局が現在登録しているものである。登録ゾーンが新しいときには、移動局は、ステップＳ３１４において新たな登録ゾーンを管轄する基地局に登録する。この登録の一部として、移動局はステップＳ３１６において、基地局とその後の通信を行うために用いられる一時的な同一性（例えば、Ｒ−ＴＭＳＩ）を指定する。この指定された一時的な同一性は、移動局により、後の行程で使用可能な内部記憶装置にストアされる。この移動局は、その後、ステップＳ３１８において、今しがた離れた各登録ゾーンに係るエントリタイマを始動させ、リセットする。
【００２７】
ステップＳ３１２に戻り、移動局が既に及び現在登録されている（新たな登録ゾーンに代えて）登録ゾーンに再入したときには、移動局は、ステップＳ３２２において、タイマに基礎を置く登録カウントを今しがた入り込んだ登録ゾーンのエントリタイマ値により初期化する。この動作は、登録終了時間より先に現在動作中ゾーン内の基地局の再登録を試みる結果をもたらす。移動局は、その後、ステップＳ３２４において、今しがた入り込んだ登録ゾーンのためのエントリタイマの動作を停止する。
【００２８】
ステップＳ３３２では、移動局は始動された全てのエントリタイマ（いくつかある場合）を更新する。この更新は、最後の更新からの経過時間に起因して、始動されたタイマのインクリメントを必然的に伴う。その後、ステップＳ３３４においては、始動されたエントリタイマがタイムアウトしているか否かが判断される。タイマは、タイムアウト値以上となった場合にタイムアウトされる。エントリタイマのいずれもタイムアウトしていないときには、移動局はステップＳ３１０に戻る。さもなければ、移動局は、ステップＳ３３６において、登録ゾーンの登録をタイムアウトし、それにより、関連するエントリタイマはタイムアウトされる。タイムアウトの登録のために、登録ゾーンのための一時的な同一性は、移動局の内部記憶装置から削除され、移動局が当該ゾーンに移動して戻ったときには、登録ゾーンを再登録する必要が生じる。この移動局は、その後、ステップＳ３１０に戻る。
【００２９】
明確化のために、図３に示される登録処理は、図２を用いた特有の例として詳述されている。この例では、移動局は、最初にＲ−ＴＭＳＩゾーン１に位置しており、基地局１０４ａを登録している。この基地局１０４ａの登録では、移動局にはＲ−ＴＭＳＩ１が指定され、それは基地局１０４ａとその後の通信を行うために用いられる。
【００３０】
その後、この移動局はＲ−ＴＭＳＩゾーン２に移動し、基地局１０４ｂを登録する。基地局１０４ｂの登録では、移動局にはＲ−ＴＭＳＩ２が指定され、それは、基地局１０４ｂとのその後の通信に用いられる。この移動局は、また基地局１０４ｂより基地局１０４ａにより指定されたＲ−ＴＭＳＩ１のタイムアウト値を受信するこができ、或いは、予め定められたタイムアウト値又はＲ−ＴＭＳＩ１の為のいくつかの他のタイムアウト値を使用し得る。移動局は、その後、タイマ１を始動させ、ゼロにリセットする。この移動局は、それ以降、予め定められた、又は受信したＲ−ＴＭＳＩゾーン１に関するタイムアウト値とタイマ１とを比較し、更新する。
【００３１】
続いて、移動局がＲ−ＴＭＳＩゾーン１に戻ったならば、この移動局はＲ−ＴＭＳＩゾーンの１のために以前に始動したタイマ１を停止する。この移動局は、その後、今しがた離れたゾーンであるＲ−ＴＭＳＩゾーン２のためのタイマ２を始動させる。
【００３２】
或いは、仮に移動局がＲ−ＴＭＳＩゾーン１からＲ−ＴＭＳＩゾーン４へと移動したならば、基地局１０４ｄが登録される。この基地局１０４ｄの登録において、移動局には、基地局１０４ｄとのその後の通信に用いられるＲ−ＴＭＳＩ４が指定される。この移動局は、また最後のＲ−ＴＭＳＩゾーンのみのためのタイムアウト値を基地局１０４ｄから受信し得る。この場合、Ｒ−ＴＭＳＩコード１は、基地局１０４ａにより指定され、或いはそれらのゾーンのために予め定められたタイムアウト値を使用可能となる。この移動局は、その後、Ｒ−ＴＭＳＩゾーン１のためのタイマ１を始動させ、ゾーン２のためのタイマ２をモニタし、移動局がゾーン１からゾーン４へ移動したときにその値は更新される。
【００３３】
この方法では、各Ｒ−ＴＭＳＩゾーンに入り込み、移動局はそのゾーンに関連するタイマを停止する。この移動局は、今しがた離れたいくつかのＲ−ＴＭＳＩゾーンのためのタイマを起動する。この他のＲ−ＴＭＳＩゾーン（いくつかある場合）のためのタイマは、影響を受けない。このタイマは、時間経過によりインクリメントされる。タイマが、関連するタイムアウト値に到達し、移動局がタイムアウト期間の中に関連するゾーンの中にいないことを示す場合はいつでも、かかるゾーンの登録はタイムアウトしている。その後、移動局は、当該ゾーンに移動して戻ったときには、Ｒ−ＴＭＳＩゾーンを再登録する必要がある。
【００３４】
上述したゾーンに基礎を置いた登録方式及びタイマに基礎を置いた登録方式を用いて、移動局は多数のセルの境界エリアに位置決めされ、たとえ移動局が一時的にＲ−ＴＭＳＩゾーンから他に移動したとしても、Ｒ−ＴＭＳＩゾーンの基地局をただ一度だけ登録すればたりる。仮に、移動局が特定のＲ−ＴＭＳＩゾーンを登録し、タイムアウト期間の中で当該ゾーンに移動して戻ったときでも、そのようなゾーンのための基地局の再登録は不要である。この方法では、登録ピンポン効果は大幅に削減され得る。
【００３５】
本発明の実施の形態に従い、移動局が今しがた離れ、新たなＲ−ＴＭＳＩゾーンに入った、該Ｒ−ＴＭＳＩゾーンに用いられるタイムアウト値は、新たなＲ−ＴＭＳＩゾーンのための基地局により提供される。登録ゾーンが変更された周波数は、セルのトポロジ及びサイズ、シャドーイング効果、ネットワーク設計者がどのように隣接ゾーンをレイアウトしたか、に依存する。このようなコンディションに基いて、上述した特徴は、移動局が移動してきたセルからの信号コンディションとの比較と同じように、セルの中の信号コンディションに依存するタイムアウト値を選択するための自由度を基地局に与える。
【００３６】
ＲＲ登録は、移動局とＲ−ＴＭＳＩゾーンを供給する基地局との間のメッセージ変換を介して実行される。様々なメッセージフォーマットが使用され得る。テーブル１は、移動局によって発生され基地局に送られるＲＲレベル登録メッセージに関する特有の実施の形態を記載している。この実施の形態では、ＲＲレベル登録メッセージは、テーブル１に示される同一性及びサイズを有する４つのフィールドを含んでいる。他のメッセージフォーマット及びフィールドも用いることができ、これらも本発明の目的の中にある。
【００３７】
【表１】
0004607411.tif 000002
このＲＲ＿ＲＥＧ＿ＴＹＰＥフィールドは、現在のＲＲ登録の発生を引き起こす原因となる特定のイベントタイプを示している。実施の形態では、このフィールドは、タイマに基礎を置いた登録イベントに関しては“００００”に、ゾーンに基礎を置いた登録イベントに関しては“０００１”に、ページレスポンスに関しては“００１０”に、そして、トラヒックチャネルのリクエストに関しては“００１１”にセットされる。ＳＬＯＴ＿ＣＹＣＬＥ＿ＩＮＤＥＸフィールドは、移動局のページングモードを示している。このフィールドは、仮に移動局がスロットモードオペレーションに設定されている場合には、実行されたスロットサイクルインデックス、即ちＳＬＯＴ＿ＣＹＣＬＥ＿ＩＮＤＥＸPにセットされる。この他の場合は、このフィールドは、“０００”にセットされる。
【００３８】
ＭＯＢ＿Ｐ＿ＲＥＶフィールドは、移動局のプロトコル更新(revision)を示している。
【００３９】
ＫＥＹ＿ＳＥＱ＿ＮＥＷフィールドは、移動局より発生された新たな暗号キーに対応するキーシーケンス番号を含む。このフィールドは、移動局によって発生された新たな暗号キーに関連するシーケンス番号である、ＫＥＹ＿ＳＥＱ＿ＮＥＷS-Pにセットされる。
【００４０】
テーブル２は、ＲＲ登録のために基地局より移動局へと送られるＲ−ＴＭＳＩ指定メッセージのためのメッセージフォーマットの特有の実施の形態を記載している。このＲ−ＴＭＳＩ指定メッセージは、移動局により送られる当該ＲＲレベル登録メッセージに関連する、或いは他のイベントに関連する、基地局により送られる。この実施の形態では、Ｒ−ＴＭＳＩ指定メッセージは、テーブル２に示される同一性及びサイズ、テーブル２に示される他のメッセージフォーマット及びフィールドを有する８つのフィールドを含む。併せて、他のメッセージフォーマット及びフィールドも使用可能であり、本発明の目的の中にある。
【００４１】
【表２】
0004607411.tif 000003
Ｒ＿ＴＭＳＩ＿ＩＮＣＬフィールドは、Ｒ−ＴＭＳＩ情報がＲ−ＴＭＳＩ指定情報を含むか否かを示す１ビットフラグである。このフィールドは、基地局が新たなＲ−ＴＭＳＩを移動局に指定する場合には“１”にセットされ、その他の場合は“０”にセットされる。Ｒ＿ＴＭＳＩ＿ＩＮＣＬフィールドが“１”にセットされているならば、メッセージの残りのフィールドは有効データを含む。
【００４２】
Ｒ＿ＴＭＳＩ＿ＺＯＮＥ＿ＬＥＮフィールドは、Ｒ−ＴＩＭＳＩ指定メッセージの一時的なＲ＿ＴＭＳＩ＿ＺＯＮＥフィールドのレングスを定義している。特に、このフィールドは、Ｒ＿ＴＭＳＩ＿ＺＯＮＥフィールドに含まれるオクテット（例えば、包括的に１〜８の値に定められる）の番号がセットされる。
【００４３】
このＲ＿ＴＭＳＩ＿ＺＯＮＥフィールドは、Ｒ−ＴＭＳＩゾーン番号を有しており、Ｒ＿ＴＭＳＩ＿ＺＯＮＥ＿ＬＥＮフィールドにより定義されるのと同様に１乃至８オクテットの範囲のレングスを有している。
【００４４】
このＲ＿ＴＭＳＩ＿ＣＯＤＥフィールドは、３２ビットのＲ−ＴＭＳＩコードを有しており、これにより移動局が指定される。このフィールドの全てのビットは、“１”にセットされ、これによりＲ−ＴＭＳＩが非指定とされる。
【００４５】
Ｒ＿ＴＭＳＩ＿ＥＸＰ＿ＰＲＤフィールドは、タイマに基礎を置いた登録に関してはＲ−ＴＭＳＩタイムアウト期間を定義する。このタイムアウト期間は、終了期間とも称される。移動局がタイマに基礎を置いたＲＲ登録を実行しないときには、このフィールドは“０００００００”にセットされる。さもなければ、移動局がタイムベースのＲＲ登録を実行するときには、このフィールドは２８乃至８５の範囲内で定められる値がセットされる。８０ｍｓｅｃクロックがタイマの更新に用いられるならば、このレンジは６秒乃至５５時間に相当する。この実施の形態の場合、このタイマは２R_TMSI_EXP_PRD/4にセットされ、タイムアウト期間は２R_TMSI_EXP_PRD/4・０．０８秒である。
【００４６】
ＺＯＮＥ＿ＩＮＦＯ＿ＩＮＣＬフィールドは、１ビットフラグであり、それはゾーンリストのメンテナンスのための情報がＲ−ＴＭＳＩ指定メッセージに含まれているか否かを示している。このフィールドは、移動局が新たなゾーンに登録しているときは“１”にセットされ、Ｒ＿ＴＭＳＩ指定メッセージは一時的なＴＯＴ＿Ｒ＿ＴＭＳＩ＿ＺＯＮＥＳ及びＲ＿ＰＲＥＶ＿ＺＯＮＥ＿ＰＲＤフィールドの中に有効情報を有している。その他の場合は、このフィールドには“０”がセットされることになる。
【００４７】
このＴＯＴ＿Ｒ＿ＴＭＳＩ＿ＺＯＮＥＳフィールドは、Ｒ−ＴＭＳＩゾーンの最大番号を示しており、移動局によりゾーンに基礎を置いたＲＲ登録の目的のために保持されている。ゾーンに基礎を置いたＲＲ登録が無効ならば、このフィールドは“０００”にセットされる。
【００４８】
Ｒ＿ＰＲＥＶ＿ＺＯＮＥ＿ＰＲＤフィールドは、Ｒ−ＴＭＳＩタイムアウト期間を定義しており、これは移動局が今しがた離れた以前のＲ−ＴＭＳＩゾーンのために用いられる。このタイムアウト期間は、以前のゾーンの終了期間とも称される。このフィールドは、２４乃至８５の範囲内の値がセットされる。この範囲は、８０ｍｓｅｃクロックがタイマの更新に用いられるならば、３７５ｍｓｅｃ乃至５５時間に相当する。これ以前のゾーンの終了期間は、
２R_PREV_ZONE_PRD/4・０．０８秒である。
【００４９】
テーブル３は、ゾーンリストへのエントリの実施の形態を示しており、該ゾーンリストは移動局によりＲＲレベル登録のために保持されている。このゾーンリストは、多数のエントリを含み、上述したＴＯＴ＿Ｒ＿ＴＭＳＩ＿ＺＯＮＥＳにより指定された番号を更新する。この実施の形態では、ゾーンリストの各エントリは５つのフィールドを含み、それはテーブル３の同一性及びサイズを有している。他のフォーマット及びフィールドのエントリを用いることもでき、それは本発明の目的の中にある。
【００５０】
【表３】
0004607411.tif 000004
Ｒ＿ＴＭＳＩ＿ＺＯＮＥフィールドは、エントリのためのＲ−ＴＭＳＩゾーン番号を含む。Ｒ＿ＴＭＳＩ＿ＣＯＤＥフィールドは、Ｒ−ＴＭＳＩゾーンに関して移動局に指定された３２ビットのＲ−ＴＭＳＩコードを含む。Ｒ＿ＴＭＳＩ＿ＣＯＵＮＴフィールドは、カウンタ（タイムアウト期間に対応）を含み、これは、移動局によりＲ−ＴＭＳＩゾーンのタイマに基礎を置いたＲＲ登録のために保持される。Ｒ＿ＴＭＳＩ＿ＣＯＵＮＴ＿ＭＡＸフィールドは、Ｒ＿ＴＭＳＩ＿ＣＯＵＮＴのための最大値を含む。エントリタイマフィールドは、タイマを含み、それはＲ−ＴＭＳＩゾーンのタイムアウト登録に用いられる。更なるフィールドは、他のパラメータも含み、それは例えば、関連する基地局からのページを受信するのに用いられるモード（スロットルモード又はいくつかの他のモード）の如くである。
【００５１】
ゾーンリストの中のエントリは、動作中のＲ−ＴＭＳＩゾーンのための情報を含み、それは、様々なオーダーにアレンジされ得る。例えば、このエントリはＲ−ＴＭＳＩゾーン（例えば、ゾーンの経年(age)）の登録時間に基いてアレンジされ得る。
【００５２】
図４は、移動局呼び出し処理の実施の形態に係る状態機構４００を示す図である。この状態機構は、より詳細には、ｃｄｍａ２０００標準により定義されているものと類似している。状態機構４００は、パワーアップ状態４１０、移動局初期化状態４１２、初期化タスク状態４１４、移動局空き状態４１６、システムアクセス状態４１８、そして、移動局がトラヒックチャネルを制御する状態４２０を有する。各状態は、更に複数の副状態を含む。パワーアップでは、移動局パワーアップ状態４１０から移動局初期化状態４１２へ移行する。
【００５３】
初期化状態４１２では、移動局は特定のシステムを選択し、用いる。この選択されたシステムがアナログシステムならば、移動局は初期化タスク状態４１４に移行し、アナログモードの処理を開始する。さもなければ、選択されたシステムがＣＤＭＡシステムならば、移動局は先に進み、選択されたＣＤＭＡシステム（又は、より具体的には選択されたシステムの一又はそれ以上の基地局）を要求し同期をとる。一旦、移動局が選択されたＣＤＭＡシステムのタイミングを要求すると、移動局空き状態４１６に入る。
【００５４】
移動局空き状態４１６では、移動局は“オン”されるが動作はなされない。移動局は、基地局からのメッセージのためのフォーワードリンクのページングチャネルをモニタしている。移動局がページングチャネルを受信できず、或いは他の基地局が動作中の組を加えているときには、移動局は状態４１２に戻り、他の基地局を獲得する。状態４１６では、移動局は、メッセージ又は入ってくる（次期の）呼び出しを受信することができ、呼び出しを開始し、登録を実行し、メッセージ送信を開始し、或いはいくつかの他の動作を実行する。これら動作の開始により、移動局はシステムアクセス状態４１８に移行する。
【００５５】
システムアクセス状態４１８では、移動局は一又はそれ以上のアクセスチャネルで基地局にメッセージを送り、基地局とアクセスすることを試みるページングチャネル上の基地局からのメッセージを受信する。これらメッセージのやりとりは、移動局と基地局との間の特定タイプの通信（例えば音声、データ）、メッセージの発信者（移動局又は基地局）に依存し、ｃｄｍａ２０００標準に更に詳細に記述されている。このメッセージのやり取りの結果次第で、“動作中”の通信が基地局と実行されないならば、移動局は移動局空き状態４１６に戻り、基地局の呼び出しが実行されると、移動局がトラヒックチャネルを制御する状態４２０に進む。状態４２０への移行に先立ち、移動局はコールのためのフォワードトラヒックチャネルを指定される。
【００５６】
移動局がトラヒックチャネルを制御する状態４２０では、移動局は、設定された先の又は後のトラヒックチャネルを用いることで、基地局と通信を行う。呼び出しを終了すると、移動局は状態４１２に戻る。
【００５７】
図５は、ＲＲ登録が上位ネットワーク登録（例えばＭＳＣ）に加えてサポートされるとき、ＲＲ登録処理として述べられた実施の形態に従って用いられる、状態機構５００を示す図である。移動局がＲＲレベル（即ち、ＢＳＣレベル）に登録されているか否かに従って、図４の状態は、非接続状態４４０及び接続状態４５０にグループ化される。非接続状態４４０はパワーアップ状態４１０、移動局初期化状態４１２、及びＲ−ＴＭＳＩが指定されていないときには移動局空き状態４１６ａ、を含む。接続状態４５０は、システムアクセス状態４１８、移動局がトラヒックチャネルをコントロールする状態４２０、そして有効なＲ−ＴＭＳＩが指定され移動局が基地局により認識されているときは（ＲＲレベル）、移動局空き状態４１６ｂ、を含む。非接続状態４４０は、空き状態を意味し、このとき、移動局はパワーアップされ、移動局はいくつかのＲ−ＴＭＳＩゾーンには登録されていない。接続状態４５０は、ＲＲＣ接続が設定され、ＲＲ登録が許可された状態を意味する。
【００５８】
この実施の形態の場合、ＲＲ接続体制に従い、システムアクセス状態４１８は非接続状態４４０から入る。Ｒ−ＴＭＳＩはＲＲ接続体制の間、移動局により指定される。その後、移動局は、基地局と通信するためにシステムアクセス状態４１８から、他の移動局がトラヒックチャネルを制御する状態４２０、又は移動局空き状態４１６ｂへ進む。
【００５９】
移動局空き状態４１６ｂでは、移動局は、Ｒ−ＴＭＳＩが指定されており、その後、状態４２０に移行し、基地局と通信する。状態４１６ｂ及び状態４２０よって、もはや基地局が登録されていない場合には（例えば、Ｒ−ＴＭＳＩゾーンに関するタイマがタイムアウトしたとき）、移動局は非接続状態４４０に戻る。図５の状態遷移は、メッセージ（例えば、Ｒ−ＴＭＳＩ割合メッセージ）を介してなされるものであり、これについては更に以下に詳述する。
【００６０】
ＲＲ登録処理の特有の実施例は、ＧＳＭ  ＭＣ−ＭＡＰ標準をサポートするｃｄｍａ２０００システムとして詳述されている。この実施例では、多数の構成パラメータは、ＲＲ登録を容易にするものとして定義されている。テーブル４は構成パラメータ及びそれらの定義を記載したものである。テーブル４において、下付の“S”はセミメモリのために立てたものであり、それらのコンテンツは、移動局がパワーダウンするやいなや失われる。
【００６１】
【表４】
0004607411.tif 000005
このような特有の実施では、システムは多数のＲＲレベルの登録方法をサポートしており、当該方法は以下を含む。
【００６２】
・タイマに基礎を置いたＲＲ登録−移動局はタイマ満了時に登録する。
【００６３】
・ゾーンに基礎を置いたＲＲ登録−移動局は新たなゾーンに入ったときに登録する。
【００６４】
・絶対的なＲＲ登録−移動局はＲＲ接続要求メッセージをうまく基地局に送ったときに絶対的に登録を行ない、そして、基地局は、このメッセージより移動局の位置を推測し得る。
【００６５】
・トラヒックチャネルＲＲ登録−基地局が、トラヒックチャネルを指定された移動局の登録情報を有するときにはいつでも、基地局は移動局に、それが登録されている旨を通知し得る。
【００６６】
これらの登録方法のいくつかは、以下に更に詳述される。
【００６７】
タイマに基礎を置いたＲＲ登録
タイマに基礎を置いたＲＲ登録では、移動局はレギュラーインターバルにてＲＲレベルを登録する。ＴＩＭＥＲ＿ＲＥＧSフラグは、タイマに基礎を置いた登録が可能であるか否かを示している。実施の形態では、基地局は、Ｒ−ＴＭＳＩ指定メッセージのＲ＿ＴＭＳＩ＿ＥＸＰ＿ＰＲＤフィールドをゼロにセットすることで、タイマに基礎を置いた登録を無効にする。移動局は、タイマ終了カウンタをＲＲ＿ＲＥＧ＿ＣＯＵＮＴ＿ＭＡＸS＝２R_TMSI_EXP_PRD/4に算定し、ストアする。この移動局は、０とＲＲ＿ＲＥＧ＿ＣＯＵＮＴ＿ＭＡＸS−１との範囲内の（擬似ランダム）値を受信するＲＲ登録カウンタ、即ち、ＲＲ＿ＲＥＧ＿ＣＯＵＮＴSを保持する。
【００６８】
タイマに基礎を置いたＲＲ登録は、カウンタ、即ち特定の更新レートでインクリメントされるＲＲ＿ＲＥＧ＿ＩＮＣSを用いる。この更新レートは、特定のタイムインクリメント（例えば、８０ｍｓｅｃ）に対応し、ページングチャネル又はフォワード共通制御チャネルのスロットカウンタの如きタイマにより提供される。仮に、ＴＩＭＥＲ＿ＲＥＧSが“ｙｅｓ”であり、Ｒ＿ＴＭＳＩ＿ＣＯＤＥSの全てのビットが“１”でないならば（それぞれ、登録は可能であり、移動局はＲＲＣ接続を確立していることを示す）、タイマに基礎を置いたＲＲ登録は、カウンタＲＲ＿ＲＥＧ＿ＩＮＣSがＲＲ＿ＲＥＧ＿ＣＯＵＮＴSよりも大きい値に到達したときに実行される。ＲＲ＿ＲＥＧ＿ＣＯＵＮＴSのストア値は、基地局によりＲ−ＴＭＳＩ指定メッセージのＲ＿ＴＭＳＩ＿ＥＸＰ＿ＰＲＤフィールドを経由して制御される。このカウンタＲＲ＿ＲＥＧ＿ＩＮＣSは、移動局がＲ−ＴＭＳＩ指定メッセージ又はタイマに基礎を置いたＲＲ登録可能フラグＴＩＭＥＲ＿ＲＥＧSが“ｎｏ”から“ｙｅｓ”に変更した各時間にリセットされる。
【００６９】
実施の形態の場合、移動局がＴＩＭＥＲ＿ＲＥＧSを“ｎｏ”から“ｙｅｓ”に変更したときはいつでも、ＲＲ＿ＲＥＧ＿ＣＯＵＮＴSを、０とＲＲ＿ＲＥＧ＿ＣＯＵＮＴ＿ＭＡＸS−１の範囲内の擬似ランダム値にセットし、これは擬似乱数発生器を用いて発生される。この基地局は、移動局がＲＲ登録メッセージでＲＲ＿ＲＥＧ＿ＣＯＵＮＴ＿ＭＡＸ時間内に戻ってくるように要求する。移動局が遅れると、基地局はそれを再登録し、移動局はもはや他の認証処理を介されないと識別されない。このようにして、移動局はＲＲ＿ＲＥＧ＿ＣＯＵＮＴ＿ＭＡＸよりも小さい値を選択する。擬似ランダム値は、選択され得る。何故ならば、様々な異なる実施のためにオープンされたパラメータをそのままにしておくからである。ＲＲ＿ＲＥＧ＿ＣＯＵＮＴ＿ＭＡＸよりも小さいいくつかの値も使用することができ、それは本発明の目的の範囲内にある。移動局は、アップデート信号を受信する度にも（例えば各８０ｍｓｅｃインターバル）カウンタＲＲ＿ＲＥＧ＿ＩＮＣSをインクリメントする。
【００７０】
ゾーンに基礎を置いたＲＲ登録
ゾーンに基礎を置いたＲＲ登録では、移動局は、滞在したゾーンの内部記憶リストを既にストア済みの新たなＲ−ＴＭＳＩゾーンの中に移動したか否かを、ＲＲレベルで登録する。与えられたネットワークの中の各Ｒ−ＴＭＳＩゾーンはＲＲ登録ゾーンに対応する。ゾーンは、ＲＲ登録（絶対的なＲＲ登録を含む）が実行されるときにはいつでも、リストに加えられ、ゾーンを保持するタイマの満了に従い削除される。
【００７１】
移動局は一以上のＲ−ＴＭＳＩゾーンを登録し得る。この移動局は、登録されているゾーンのリスト、Ｒ＿ＺＯＮＥ＿ＬＩＳＴSを保持している。実施の形態の場合、各エントリは、テーブル３に示される、Ｒ＿ＴＭＳＩ＿ＺＯＮＥ、Ｒ＿ＴＭＳＩ＿ＣＯＤＥ、Ｒ＿ＴＭＳＩ＿ＣＯＵＮＴ、Ｒ＿ＴＭＳＩ＿ＣＯＵＮＴ＿ＭＡＸを含むＲ＿ＺＯＮＥ＿ＬＩＳＴS、及びエントリタイマを含む。この移動局は、リストのエントリの経年を確かめられるべくタイマが動作している間にわたって、試される各タイマの値を許可する手段を提供する。各ゾーンのエントリタイマは、Ｒ＿ＴＭＳＩ＿ＣＯＵＮＴが再割当てされる度にリセットされる。Ｒ＿ＴＭＳＩカウントは、移動局がＲ＿ＴＭＳＩ指定メッセージを介する通知を受信する度に再割当てされる。
【００７２】
実施の形態の場合、移動局が登録されていると考えられるゾーンの最大番号は移動局が登録されている最新の基地局によって制御される。この制御は、新たなＲ−ＴＭＳＩが新たなＲ−ＴＭＳＩゾーンの登録結果として指定されているときはいつでも、Ｒ＿ＴＭＳＩ指定メッセージのＴＯＴ＿Ｒ＿ＴＭＳＩ＿ＺＯＮＥＳフィールドを経由して、実行される。エントリがＲ＿ＺＯＮＥ＿ＬＩＳＴSに加えられるとき又はＴＯＴ＿Ｒ＿ＴＭＳＩ＿ＺＯＮＥＳが減少したときは、移動局はＴＯＴ＿ＴＭＳＩ＿ＺＯＮＥＳSのセットにより許可されるよりも多いエントリがあるときは、リストから必要以上のエントリを取り外す。Ｒ＿ＺＯＮＥ＿ＬＩＳＴSがより多くのＴＯＴ＿Ｒ＿ＴＭＳＩ＿ＺＯＮＥＳSを含むときは、移動局は以下のルールに従って必要以上のエントリを削除する。
【００７３】
・ＴＯＴ＿Ｒ＿ＺＯＮＥＳSがゼロであるならば、移動局はリストの全てのエントリを削除する。
【００７４】
・ＴＯＴ＿Ｒ＿ＴＭＳＩ＿ＺＯＮＥＳSがゼロでなければ、移動局は、始動されたエントリタイマを有するエントリを削除し、最も経年の古いエントリを開始し、エントリタイマ値により決定されるのと同様に、これをＴＯＴ＿Ｒ＿ＴＭＳＩ＿ＺＯＮＥＳSエントリの残りが無くなるまで、経年を減少させるために継続する。
【００７５】
ＲＲＣ接続移動手順
ＭＳ−ＭＡＰをサポートする移動局が、図５に示される非接続状態４４０の移動局空き状態４１６ａでＲＲＣ接続要求メッセージを正確に送ると、基地局は移動局の位置を推測でき、暗黙のＲＲレベルの登録が実行される。これに応答して、この基地局は、移動局に、有効なＲ−ＴＭＳＩを伴なうＲ−ＴＭＳＩ指定メッセージを送信することによってＲＲレベルを登録した旨を通知する。移動局はその後、接続状態４５０に移行する。
【００７６】
ＲＲ接続が確立し（例えば、呼び出し、或いはネットワークの交換に係る情報に関する他の理由より）、ＭＳ−ＭＡＰ移動局が、移動局がトラヒックチャネルを制御する状態４２０のトラヒックチャネル副状態にあるとき、トラヒックチャネルＲＲレベル登録が暗黙のうちに実行され得る。再び、これに応答して、基地局は移動局に、Ｒ−ＴＭＳＩ指定メッセージを送ることでＲＲレベルを登録した旨を通知する。基地局は、また、移動局に新たなＲ−ＴＭＳＩを指定する。
【００７７】
移動局がトラヒックチャネルを制御する４２０の間、呼び出しがタイムアウトすると、基地局は、リリースオーダーを送ることによりＭＣ−ＭＡＰ移動局を共通のチャネルに方向付ける。共通チャネルのＲＲＣ接続は、移動局のＲＲレベル登録及び有効なＲ−ＴＭＳＩを保持することで実現される。共通のチャネルをモニタしている間にわたって、ＭＣ−ＭＡＰ移動局は、ＲＲレベル登録メッセージを送信することで、定期的なゾーンに基礎を置いた、又は命令されたＲＲレベル登録を実行し得る。
【００７８】
ＲＲレベル登録メッセージを受信する基地局は、登録を承認し、Ｒ−ＴＭＳＩ指定メッセージを送ることにより、移動局を新たなＲ−ＴＭＳＩに配置する。基地局が移動局にＲ＿ＴＭＳＩ＿ＣＯＤＥの全てのビットが“１”にセットされているＲ＿ＴＭＳＩ指定メッセージを送信すると、移動局はＲ＿ＴＭＳＩ＿ＣＯＤＥSの全てのビットを“１”に、ＲＲ＿ＲＥＧ＿ＥＮＡＢＬＥＤSを“ｎｏ”にセットする。Ｒ＿ＴＭＳＩ＿ＣＯＤＥSの全てのビットが“１”にセットされたＲ＿ＴＭＳＩ指定メッセージを送ることで、移動局の接続はＲＲＣ接続が確立するまで、無線リソース（ＲＲ）レイヤは閉じ込められる(closed)。
【００７９】
移動局が、既に登録されているような、同じＲ−ＴＭＳＩゾーンの中で定期的なＲＲレベル登録を実行するならば、基地局は、それに新たなＲ−ＴＭＳＩを指定するかもしれないし、指定しないかもしれない。移動局が、新たなＲ−ＴＭＳＩゾーンの中、ＲＲレベルで登録されるならば、基地局は、Ｒ−ＴＭＳＩ指定メッセージを経由して、それに新しいＲ−ＴＭＳＩを指定するか、或いはＲＲ登録をリジェクトする。
【００８０】
このＲＲレベル登録は、図５の状態機構のために詳述される。この実施の形態では、移動局が、パワーアップの指示により、移動局初期化状態４１２のシステム決定副状態に入ると、移動局は多数の動作を実行し、それは以下を含む。
【００８１】
・移動局はＲ＿ＺＯＮＥ＿ＬＩＳＴS中の全てのエントリを削除し、いくつかのゾーンで未だいかなる登録も実行されていないので、リストを初期化する。
【００８２】
・移動局はＲ＿ＴＭＳＩ＿ＣＯＤＥSの全てのビットを“１”にセットし、これにより、ＲＲＣ接続が確立されていないことを示す。Ｒ−ＴＭＳＩの定義では、全てのビットが“１”にセットされているＲ＿ＴＭＳＩ＿ＣＯＤＥは、有効なＲ−ＴＭＳＩではないこと、及びＲ−ＴＭＳＩが指定されていないことを意味する。
【００８３】
移動局は、ＲＲ登録可能フラグ、ＲＲ＿ＲＥＧ＿ＥＮＡＢＬＥＤSを“ｎｏ”セットし、ＲＲ登録を無効にする。このアクションは、少なくともＲＲＣ接続が確立されるまで、ＲＲ登録を無効とする。
【００８４】
・移動局は、タイマに基礎を置いたＲＲ登録可能フラグ、ＴＩＭＥＲ＿ＲＥＧSを“ｎｏ”に更にセットすることで、タイマベースの登録を無効とする。再びこのアクションは、ＲＲＣ接続が確立されるまで、タイマに基礎を置いた登録を無効とする。
【００８５】
移動局は、システムアクセス状態では、多数の動作を実行し、それは以下を含む：
・ＭＣ−ＭＡＰ移動局が、ＭＣ−ＭＡＰ  ＲＲＣ接続要求メッセージ又はＲＲレベル登録メッセージを正確に送信すると、ＲＲ＿ＲＥＧ＿ＥＮＡＢＬＥＤSは “ｙｅｓ”にセットされ、ＲＲレベル登録が有効となる。このＲ＿ＴＭＳＩ＿ＣＯＤＥSのビットは、基地局がそれを指定するまで、全て“１”にセットされている。この基地局は、一般的には類似の実施を保持するが、詳細には述べられていない。移動局が、特定期間（例えば、Ｔ７５ｍ、ｃｄｍａ２０００標準により定義されている）、Ｒ−ＴＭＳＩ指定メッセージを受信しないときには、Ｒ＿ＴＭＳＩ＿ＣＯＤＥSの全てのビットは“１”にセットされるが、これは接続が未だ確立されていないことを示す。
【００８６】
・Ｒ−ＴＭＳＩ指定メッセージが特定時間（Ｔ７５ｍ）の中で受信されたならば、移動局は以下に述べるようなメッセージを処理する。
【００８７】
・移動局は、システムアクセス状態４１８にて、アクセス試行の失敗を宣言して、移動局はＲＲ＿ＲＥＧ＿ＥＮＡＢＬＥSを“ｎｏ”にセットし、ＲＲレベルの登録を無効とし、Ｒ＿ＴＭＳＩ＿ＣＯＤＥSの全てのビットを“１”にセットし、接続が確立されていないことを示し、Ｒ＿ＺＯＮＥ＿ＬＩＳＴSの全てのエントリを削除し、リストを再び初期化する。
【００８８】
この移動局は、移動局空き状態４１６ａにおいて、ＲＲ＿ＲＥＧ＿ＥＮＡＢＬＥSが“１”（ＲＲ登録が有効であることを示す）のときにのみ、ＲＲ登録を実行する。移動局は、この空き状態では、ＲＲ登録のための多数の動作を実行するが、それは以下を含む：
・ＲＲ＿ＲＥＧ＿ＥＮＡＢＬＥSが“１”（ＲＲ登録が有効であることを示す）であり、ＲＲ＿ＲＥＧ＿ＣＯＵＮＴ＿ＭＡＸSが１以上（Ｒ−ＴＭＳＩ指定メッセージを受信するのに許可された最大時間の終了を示す）であるときは、移動局はＴＩＭＥＲ＿ＲＥＧSを“１”にセットし、タイマに基礎を置いた登録を有効とする。
【００８９】
・オーバーヘッド情報処理（換言すれば、全ての移動局が登録されたゾーンに位置するかを知るための、Ｒ−ＴＭＳＩゾーン中の基地局による継続的通信）に応答して、移動局は、基地局により同報通信されたゾーンのＲ＿ＴＭＳＩ＿ＺＯＮＥを比較する。オーバーヘッド情報処理では、それはＡＳＳＩＧＮＩＮＧ＿ＴＭＳＩ＿ＺＯＮＥSにストアされ、ゾーンが同じか否かを決定する。このゾーンは異なるがＲ＿ＴＭＳＩ＿ＺＯＮＥがＲ＿ＺＯＮＥ＿ＬＩＳＴSのエントリの一つであるならば（移動局が明白にこのゾーンに登録されていることを示す）、移動局は、ＡＳＳＩＧＮＩＮＤ＿Ｒ＿ＴＭＳＩ＿ＺＯＮＥS、Ｒ＿ＴＭＳＩ＿ＣＯＤＥS、ＲＲ＿ＲＥＧ＿ＣＯＵＮＴ＿ＭＡＸS、そしてＲＲ＿ＲＥＧ＿ＣＯＵＮＴSを、Ｒ＿ＴＭＳＩ＿ＺＯＮＥのためのゾーンリストエントリの、対応するＲ＿ＴＭＳＩ＿ＺＯＮＥ、Ｒ＿ＴＭＳＩ＿ＣＯＤＥ、Ｒ＿ＴＭＳＩ＿ＣＯＵＮＴ＿ＭＡＸ、そしてＲ＿ＴＭＳＩ＿ＣＯＵＮＴ値にセットする。この動作は、構成パラメータ（サブスクリプトＳと共に）を最新に登録されたゾーンの値に更新する。
【００９０】
・Ｒ＿ＺＯＮＥ＿ＬＩＳＴSの中のいくつかのエントリのタイマが満了した場合において、Ｒ＿ＴＭＳＩ＿ゾーンがＡＳＳＩＧＮＩＮＧ＿Ｒ＿ＴＭＳＩ＿ＺＯＮＥSに等しくないときには、移動局は、Ｒ＿ＺＯＮＥ＿ＬＩＳＴSから終了したタイマに係るエントリを削除する。この動作では、移動局がタイムアウト期間内に訪れていない全てのＲ＿ＴＭＳＩゾーンをゾーンリストから削除する。
【００９１】
・移動局は、以下の状態に置かれると、それが位置している（換言すれば、同報通信されたゾーン）Ｒ−ＴＭＳＩゾーンの中の基地局のタイマに基礎を置いたＲＲ登録を実行する。
【００９２】
（１）ＲＲ＿ＲＥＧ＿ＥＮＡＢＬＥＤSが“ｙｅｓ”であり、ＲＲレベル登録が有効であることを示している。
【００９３】
（２）ＴＩＭＥＲ＿ＲＥＧSが“ｙｅｓ”であり、タイマに基礎を置いたＲＲレベル登録が有効であることを示している。
【００９４】
（３）ストアされた構成パラメータ（例えば、テーブル４のうちの一つ）が最新である。
【００９５】
（４）Ｒ＿ＴＭＳＩ＿ＣＯＤＥSの全てのビットが“１”でなく、ＲＲＣ接続が完了していないことを示している。
【００９６】
（５）ＲＲ＿ＲＥＧ＿ＩＮＣSがＲＲ＿ＲＥＧ＿ＣＯＵＮＴS以上であり、移動局が特有の擬似ランダム期間内に、このＲ−ＴＭＳＩゾーンを登録していないことを示している。
【００９７】
・移動局は、最後に登録したゾーンに関係なく以下の状態に置かれると、位置している最新のゾーンのゾーンに基礎を置いたＲＲ登録を実行する。
【００９８】
（１）ＴＯＴ＿Ｒ＿ＴＭＳＩ＿ＺＯＮＥSが０でない。
【００９９】
（２）ストアされた構成パラメータが最新である。
【０１００】
（３）ＲＲ＿ＲＥＧ＿ＥＮＡＢＬＥＤSが“ｙｅｓ”であり、ＲＲレベル登録が有効であることを示しており、そして、
（４）Ｒ＿ＺＯＮＥ＿ＬＩＳＴSにエントリがなく、その結果、Ｒ＿ＴＭＳＩ＿ＺＯＮＥフィールドがストアされたＡＳＳＩＧＮＩＮＧ＿Ｒ＿ＴＭＳＩ＿ＺＯＮＥと等しくない。
【０１０１】
移動局空き状態４１６のとき、いくつかのアクションがＲＲ登録を必要としているならば、移動局はシステムアクセス状態４１８の更新オーバーヘッド情報副状態に移行し、ＲＲ登録を実行する。
【０１０２】
移動局がトラヒックチャネルを制御する状態４２０では、移動局は多数の動作を行ない、それは、以下を含む。
【０１０３】
・移動局はＲ＿ＺＯＮＥ＿ＬＩＳＴS中の全てのエントリのためのエントリタイマを保持する。仮に、Ｒ＿ＺＯＮＥ＿ＬＩＳＴS中のいくつかのエントリが満了すると、移動局は該リストから対応するエントリを移動する。本動作では、移動局がタイムアウト期間内に訪れていないＲ−ＴＭＳＩゾーンに関するエントリを移動する。
【０１０４】
・ＲＲ＿ＲＥＧ＿ＣＯＵＮＴSがＲＲ＿ＲＥＧ＿ＣＯＵＮＴ＿ＭＡＸSの値以上であれば（Ｒ−ＴＭＳＩ指定メッセージのための許容される最大時間が満了したことを示す）、移動局はＲ＿ＴＭＳＩ＿ＣＯＤＥSの全てのビットを“１”にセットする。トラヒックチャネルでは、基地局は移動局がどこにあり、またＲ−ＴＭＳＩ指定メッセージを送る能力を有することを知る。トラヒックチャネル上の通信はＲ−ＴＭＳＩを必要としないので、基地局及び移動局は未だ通信中であっても、接続はトラヒックチャネルを失うと直ぐに落ち込む(dropped)。
【０１０５】
移動局は、移動局がトラヒックチャネルを制御する状態４２０の様々なサ副状態の間、更なる動作を実行する。それら更なる動作は以下を含む。
【０１０６】
・状態４２０のトラヒックチャネル初期化副状態に入ると、移動局はＴＩＭＥＲ＿ＲＥＧSを“ｎｏ”にセットし、タイマに基礎をおいた登録を無効にすることになる。この動作では、移動局がトラヒックチャネル上にあるとき一時的にタイマに基礎をおいた登録を無効にする。
【０１０７】
・状態４２０のトラヒックチャネル副状態では、移動局は応答に従いＲ−ＴＭＳＩ指定メッセージを処理する。
【０１０８】
・状態４２０のリリース副状態では、移動局は、Ｒ＿ＴＭＳＩ＿ＣＯＤＥSの全てのビットが“１”ならば、ＲＲ＿ＲＥＧ＿ＥＮＡＢＬＥＤSを“ｎｏ”にセットする。さもなれければ、移動局はＴＩＭＥＲ＿ＲＥＧSを“ｙｅｓ”にセットし、タイマに基礎をおいた登録を活性化する。これら動作は、呼び出しの満了後、タイマに基礎を置いた登録を再び有効にする。但し、ＲＲＣ接続をクローズしたままのときは除かれる。
【０１０９】
ＲＲレベル登録のために基地局により送られる、Ｒ−ＴＭＳＩ指定メッセージは、テーブル２に示されるようなフォーマットを有する。Ｒ−ＴＭＳＩ指定メッセージの受信に従い、移動局はメッセージの様々なフィールドに送られる値をストアするが（それは、サブスクリプトＲに設計されている）、それは以下に従う。
【０１１０】
・メッセージに含まれるＲ＿ＴＭＳＩ＿ＩＮＣＬが“１”ならば、メッセージが有効なＲ−ＴＭＳＩ情報を含むことを示し、移動局はＲ−ＴＭＳＩゾーン、Ｒ−ＴＭＳＩコード、満了タイマ値を、以下に従ってストアする。
【０１１１】
−移動局はＲ＿ＴＭＳＩ＿ＺＯＮＥ＿ＬＥＮSと等しいＡＳＳＩＧＮＩＮＧ＿Ｒ＿ＴＭＳＩ＿ＺＯＮＥ＿ＬＥＮSをセットすることで、Ｒ−ＴＭＳＩゾーンのレングスをストアする。
【０１１２】
−移動局は、ＡＳＳＩＧＮＩＮＧ＿Ｒ＿ＴＭＳＩ＿ＺＯＮＥSからＲ＿ＴＭＳＩ＿ＺＯＮＥSの最小、最重要なオクテットをＡＳＳＩＧＮＩＮＧ＿Ｒ＿ＴＭＳＩ＿ＺＯＮＥ＿ＬＥＮSをセットすることで、指定されたＲ−ＴＭＳＩゾーン番号をストアする。
【０１１３】
−移動局はＲ＿ＴＭＳＩ＿ＣＯＤＥSにＲ＿ＴＭＳＩ＿ＣＯＤＥRをセットすることでＲ−ＴＭＳＩをストアする。
【０１１４】
−移動局はメッセージのＲ＿ＴＭＳＩ＿ＥＸＰ＿ＰＲＤフィールドの値を読み出し、この値に基づいて、以下のように、ＲＲ＿ＲＥＧ＿ＣＯＵＮＴ＿ＭＡＸS及びＲＲ＿ＲＥＧ＿ＣＯＵＮＴSをセットする。
【０１１５】
・メッセージのＲ＿ＴＭＳＩ＿ＩＮＣＬが“１”ならば、移動局は、Ｒ−ＴＭＳＩゾーン、Ｒ−ＴＭＳＩコード、満了タイマを、Ｒ＿ＴＭＳＩ＿ＬＩＳＴSのエントリと同様に、ストアする。Ｒ−ＴＭＳＩゾーンに何も存在しなければ、いくつかのデフォルト及び／又は前回の値が用いられる。移動局は、その後、エントリタイマをスタートさせる。この新たなゾーンのタイマは時間を区別し、移動局は動作中のゾーンのために、タイマに基礎を置いた登録を実行する。この前回のゾーンのためのタイマは、そのようなゾーンに関連するＲ−ＴＭＳＩの終了タイマと区別される。
【０１１６】
・メッセージの中のＲ＿ＴＭＳＩ＿ＩＮＣＬが“１”のとき、及びＲ＿ＴＭＳＩ＿ＣＯＤＥRの全てのビットに“１”がセットされているときは、移動局はＲＲ＿ＲＥＧ＿ＥＮＡＢＬＥＤSに“ｎｏ”をセットし、ＲＲ登録を無効とする。このタイプのメッセージは、移動局のＲＲ登録を無効としたいとき、基地局により送信される。
【０１１７】
・メッセージの中のＲ＿ＴＭＳＩ＿ＩＮＣＬが“１”のとき、及びＲ＿ＴＭＳＩ＿ＣＯＤＥRの全てのビットが“１”のときには、移動局はＲＲ＿ＲＥＧ＿ＥＮＡＢＬＥＤSに“ｎｏ”をセットし、ＲＲ登録を無効とする。このタイプのメッセージは、移動局のＲＲ登録を無効としたいときに、基地局により送信される。
【０１１８】
・メッセージの中のＺＯＮＥ＿ＩＮＦＯ＿ＩＮＣＬが“１”ならば、ＲＲ登録を規定するための基地局からの更なる情報を含むことを示し、この移動局は以下を実行することになる。
【０１１９】
−移動局はＴＯＴ＿Ｒ＿ＴＭＳＩ＿ＺＯＮＥＳRの値としてＴＯＴ＿Ｒ＿ＴＭＳＩ＿ＺＯＮＥＳSをストアする。
【０１２０】
−Ｒ＿ＺＯＮＥ＿ＬＩＳＴSが更新されたＴＯＴ＿Ｒ＿ＴＭＳＩ＿ＺＯＮＥSよりも多いエントリを含むときは、移動局は上述したルールに従って、余分なエントリを削除する。
【０１２１】
−移動局はメッセージの中のＲ＿ＰＲＥＶ＿ＺＯＮＥ＿ＰＲＤを読み出し、エントリの以下のフィールドに、今しがた離れた最後のＲ−ＴＭＳＩゾーンと関連するＲ＿ＺＯＮＥ＿ＬＩＳＴSをセットする。
【０１２２】
１）移動局は、Ｒ＿ＴＭＳＩ＿ＣＯＵＮＴ＿ＭＡＸに、Ｒ＿ＴＭＳＩ＿ＣＯＵＮＴ＿ＭＡＸS＝２R_PREV_ZONE_PRD/4を算定し設定する。
【０１２３】
２）移動局は、Ｒ＿ＴＭＳＩ＿ＣＯＵＮＴSに０からＲ＿ＴＭＳＩ＿ＣＯＵＮＴ＿ＭＡＸS−１の間の擬似ランダム値を設定する（例えば、ｃｄｍａ２０００標準により指定した擬似乱数発生器を用いて）。
【０１２４】
３）移動局は今しがた離れたＲ−ＴＭＳＩゾーンのために、Ｒ＿ＺＯＮＥ＿ＬＩＳＴのエントリタイマをリセットする。
【０１２５】
本発明の理解を助けるために、本発明の登録技術は、ＧＳＭ  ＭＣ−ＭＡＰ標準のｃｄｍａ２０００システムのための実施の形態として説明した。前述したような本発明の様々な態様は、他（ＣＤＭＡ、ＴＤＭＡ、及びＦＤＭＡ）のシステム、標準にも実施することができ、これは本発明の目的の範囲内ある。
【０１２６】
好ましい実施の形態の先の説明は、当業者が当該発明の製造し使用することを可能とするものである。これら実施の形態の様々な改良は、優れていることは直ぐに明白である。そして、ここで定義した一般的な原理は、本発明の機能を用いることなく、他の実施の形態に適用可能である。その上、本発明はここで示した実施の形態に限定されるものではないが、ここで述べた原理及び新たな機能よりなる広い目的に従っている。
【０１２７】
本発明の特徴、本質、利点は、図面と共に前述した詳細な説明より更に明白にはるだろう。
【図面の簡単な説明】
【図１】  多数のセルを有する無線ネットワークの図である。
【図２】  図１の無線ネットワークの一部分、及び多数のセルの境界エリアに位置する移動局のための登録を示す図である。
【図３】  本発明の実施の形態に従った登録処理のフロー図である。
【図４】  移動局呼び出し処理の実施の形態に係る状態遷移を示す図である。
【図５】  ＲＲ登録処理を用いた図４の状態遷移を示す他の図である。
【図１】
0004607411.tif 000006
【図２】
0004607411.tif 000007
【図３】
0004607411.tif 000008
【図４】
0004607411.tif 000009
【図５】
0004607411.tif 000010